(57)【要約】      （修正有） 【課題】抄紙システムのマシンワイヤに対応する固定が簡単な方法で実施および解除できる支持・拭取り装置を提供する。【解決手段】支持・拭取り装置は、支承フレームなどに確実に保持されるとともに、マシンワイヤの移動方向に対して横方向に延在する支持・拭取りストリップ４を有する。支承フレームは、支持・拭取りストリップに対して平行に整列された２本の支承ビーム２，２ａと、ビームの間に配置されるとともに、ビームへの固定が可能である二部品横ウェブ３とを有し、相互に関連するリセス３３，３４と突起とが、一方では横ウェブ３に、他方では支持・拭取りストリップ４に形成され、これにより、横ウェブと支持・拭取りストリップとが相互に接続されるとともに、横ウェブの二部品３１，３２を相互に変位させることによりクランプされる。【選択図】図１
2004353156.tif 000002
【特許請求の範囲】
【請求項１】
抄紙システムのマシンワイヤのための支持・拭取り装置において、
キャリヤと、
前記キャリヤにより確実に支持されるとともに、前記マシンワイヤの移動方向に対して横方向に整列された複数の支持・拭取りストリップと、
を含み、
前記支持・拭取りストリップに対して略平行に整列された２本の支承ビームと、該ビームの間の二部品横ウェブとを前記キャリヤが有し、該二部品横ウェブが、少なくとも二つの部品を有するとともに、該ビームに固定されるように構成され、
前記横ウェブと前記支持・拭取りストリップとの間の接続を容易にするため、相互に関連する空隙と突起とが該横ウェブと該支持・拭取りストリップとに形成され、該横ウェブの前記少なくとも二つの部品が、該支持・拭取りストリップをクランプするために変位自在に配置される、
マシンワイヤシステムの支持・拭取り装置。
【請求項２】
前記キャリヤがキャリヤフレームである、請求項１に記載のマシンワイヤシステムの支持・拭取り装置。
【請求項３】
前記支持・拭取りストリップが、前記横ウェブの前記二つの部品に形成されたリセスにおいて該横ウェブに結合されるように構成された支承ストリップを含む、請求項１に記載のマシンワイヤシステムの支持・拭取り装置。
【請求項４】
前記支持・拭取りストリップに溝が形成され、該溝と嵌合するためと該拭取りストリップを前記横ウェブに結合するための突起が、該横ウェブの前記二つの部品に形成される、請求項１に記載のマシンワイヤシステムの支持・拭取り装置。
【請求項５】
前記支持・拭取りストリップにリセスが形成され、該リセスと嵌合するためと該拭取りストリップを前記横ウェブに結合するための突起が、該横ウェブの前記二つの部品に形成される、請求項４に記載のマシンワイヤシステムの支持・拭取り装置。
【請求項６】
前記横ウェブの前記部品または前記支持・拭取りストリップの前記空隙がアンダーカットされ、それぞれ関連する該支持・拭取りストリップの前記支承ストリップが、自由端に向かって幅広に形成される、請求項１に記載のマシンワイヤシステムの支持・拭取り装置。
【請求項７】
前記横ウェブの前記部品の前記空隙と、前記支持・拭取りストリップの前記溝またはリセスとがアンダーカットされ、それぞれ関連する該支持・拭取りストリップの前記支承ストリップと該横ウェブの前記二つの部品の前記突起とが、自由端に向かって幅広に形成される、請求項４に記載のマシンワイヤシステムの支持・拭取り装置。
【請求項８】
前記横ウェブの前記二つの部品が相互に当接するとともに、端面に対して相互にオフセットしたリセスと突起とが該二つの部品に形成され、該横ウェブが前記支承ビームに固定されて該二つの部品が相互に変位した結果、相互に結合された前記支持・拭取りストリップと該横ウェブとがクランプされる、請求項１に記載のマシンワイヤシステムの支持・拭取り装置。
【請求項９】
前記横ウェブの前記二つの部品の一方が、リセスと突起とが形成されたサイドエッジを有するプレートとして形成されるとともに、該横ウェブの該二つの部品の他方が、該第１プレートを両側で囲繞する二重壁プレートとして形成され、該二重壁プレートが、該第１部品の該リセスおよび突起に対応するリセスおよび突起が形成されたサイドエッジを有する、請求項１に記載のマシンワイヤシステムの支持・拭取り装置。
【請求項１０】
前記横ウェブの前記二つの部品の前記他方が、Ｕ字形断面を有し、該Ｕ字形断面の底ウェブに前記リセスおよび前記突起が形成される、請求項９に記載のマシンワイヤシステムの支持・拭取り装置。
【発明の詳細な説明】
【技術分野】
【０００１】
本発明は、抄紙システムのマシンワイヤに対応するとともに、支承フレームなどに確実に配置されてマシンワイヤの移動方向に対して横方向に整列された支持・拭取りストリップを有する支持・拭取り装置に関連する。
【背景技術】
【０００２】
先行技術によるこのような支持・拭取り装置は、支承フレームなどに固着された支持・拭取りストリップを備える構造である。支持・拭取りストリップは、例えばねじ固定により着脱自在に、あるいは、例えば接着剤による接合つまり接着によりすぐに着脱自在にではなく、支承フレームに固定される。
【０００３】
このような拭取りストリップの支持体には、様々な要求が課せられる。第一に、これらをしっかりと固定するという要件があり、固定が不意に緩む可能性を排除しなければならない。しかし他方では、損傷を受けた後、または磨耗した後には、新しい支持・拭取りストリップと交換できるように支持・拭取りストリップを固定するという要件も存在する。新しいストリップを配置できるようするには、着脱自在に固定すると好都合である。しかし、動作要件に対応して、支持・拭取りストリップをしっかりと、しかしさらに着脱自在に固定するには、支持・拭取りストリップを固定する時とその固定を解除する時の両方で、多大な努力を必要とする。
【発明の開示】
【０００４】
したがって本発明の目的は、従来周知の装置とこの一般的タイプの方法の持つ、上述した短所を克服するとともに、第一に支持・拭取りストリップが動作要件にしたがってしっかりと固定され、動作要件に関係なく、支持・拭取りストリップの固定が簡単な方法で実施および解除できる、スクリーンアセンブリのための支持・拭取り装置を提供することである。
【０００５】
以上、および他の目的を考慮して、本発明によれば、
キャリヤフレームなどのキャリヤと、
キャリヤにより確実に支持されるとともに、マシンワイヤの移動方向に対して横方向に整列された複数の支持・拭取りストリップと、
を含み、
キャリヤが、支持・拭取りストリップと略平行に整列された２本の支承ビームと、ビームの間の二部品横ウェブとを有し、二部品横ウェブが少なくとも二つの部品を有するとともに、ビームに固着されるように構成され、
横ウェブと支持・拭取りストリップとの間の接続を容易にするため、相互に関連する空隙と突起とが横ウェブと支持・拭取りストリップとに形成され、横ウェブの少なくとも二つの部品が、支持・拭取りストリップをクランプするため変位自在に配置される、
抄紙システムのマシンワイヤのための支持・拭取り装置が提供される。
【０００６】
言い換えると、支持・拭取りストリップと平行に整列された２本の支承ビームと、ビームの間に配置されるとともにビームへの固着が可能な二部品横ウェブとを有する支承フレームなどによって本発明の目的が達成され、一方では横ウェブに、他方では支持・拭取りストリップに、相互に関連するリセスと突起とが形成され、これにより、横ウェブと支持・拭取りストリップとが相互に接続され、横ウェブの二部品を相互に変位させることによってクランプされる。
【０００７】
支承・拭取りストリップには、横ウェブの二つの部品に設けられたリセスを介して横ウェブへの結合を可能にするための支承ストリップが形成されることが望ましい。あるいは、横ウェブの二つの部品に設けられた突起を介して横ウェブへの結合を可能にするための溝を、支持・拭取りストリップに形成することもできる。さらに、横ウェブの二つの部品に設けられた突起を介して横ウェブへの結合を可能にするためのリセスを、支持・拭取りストリップに形成することもできる。
【０００８】
この場合、横ウェブの部品のリセスと支持・拭取りストリップの溝またはリセスとはアンダーカットされ、それぞれ関連する支持・拭取りストリップの支承ストリップと横ウェブの二つの部品の突起とは、自由端に向かって幅広となるように設計される。
【０００９】
さらに、横ウェブの二つの部品は相互に当接して、そのリセスと突起とは端面に関して相互にオフセットし、その結果、横ウェブが２本の支承ビームに固定されて横ウェブの二つの部品が相互に変位した結果、相互に結合された支持・拭取りストリップと横ウェブとがクランプされる。
【００１０】
好適な実施例によれば、横ウェブの二つの部品の一方は、サイドエッジの一方に沿ってリセスと突起とが形成されたプレートとして形成され、横ウェブの二つの部品の他方は、外側二面で第１プレートを囲繞するとともに、第１部品のリセスおよび突起に対応するリセスおよび突起がサイドエッジの一方に沿って同様に形成された二重壁プレートとして形成される。すなわちこの場合、横ウェブの第２部品はＵ字形断面であり、ウェブの範囲にリセスと突起とが形成されているのである。
【００１１】
本発明に特有であると考えられる他の特徴は、添付された請求項に記載される。
【００１２】
マシンワイヤシステムの支持・拭取り装置に具現されたものとして本発明をここに図示および説明するが、それでも、本発明の趣旨を逸脱せずに、請求項の均等物の範囲内で、様々な変形および構造的変更を行ってもよいので、示された詳細に限定する意図はない。
【００１３】
しかし、本発明の構造と動作方法は、付加的な目的および長所とともに、特定実施例についての以下の説明を添付図面に関連して読んだ時に、最も良く理解されるだろう。
【発明を実施するための最良の形態】
【００１４】
さて、図面の図を詳細に、特に最初は図１と２を参照すると、抄紙システムに使用するための、本発明による支持・拭取り装置が図示されている。抄紙機はマシンワイヤを含み、マシンワイヤは支持・拭取りストリップの表面上を移動する。支持・拭取り装置は、支持・拭取りストリップ４のためのフレーム状キャリヤ１を有する。支持・拭取りストリップ４は、上側に磨耗ストリップ４１を備える。下側には、ダブテール状の支承ストリップ４２が形成されている。キャリヤ１は、拭取りストリップ４に対して平行に整列された２本の支承ビーム２，２ａを含み、支承ビームは、ねじ２１によってウェブ３にねじ止めされることにより、支承ビームに対して横方向に整列されたウェブ３によって相互に接続されている。
【００１５】
ウェブ３の各々は、空隙３３，３４−この場合はアンダーカットされたリセス３３，３４が上側エッジに形成された二つの部品３１，３２を含む。そのため、支持・拭取りストリップ４の支承ストリップ４２を相互に関連するこれらのリセス３３，３４に挿入することが可能である。ウェブ部品３１にはさらに、ねじ２１に対応する穴３７が形成されている。
【００１６】
また、図２Ａに図示されているのは、支持・拭取りストリップ４の上を案内されるマシンワイヤ５である。
【００１７】
図３には、図１と比べて拡大された尺度で、二つのウェブ部品３１，３２が図示されている。
【００１８】
図４と４Ａからさらに分かるように、ウェブ部品３１，３２に設けられたリセス３３，３４は、リセス３３，３４が相互に整列された時に、両側の一方ではウェブ部品３２がウェブ部品３１より突出し、他方ではウェブ部品３１がウェブ部品３２より突出するという点で、ウェブ部品３１，３２の端面に対して若干オフセットしている。支持・拭取りストリップ４がリセス３３，３４に挿入されるとすぐに、二つのウェブ部品３１，３２はこの相互位置を取る。リセス３３，３４は、支持・拭取りストリップ４があそびをもってリセス３３，３４内で変位し、ゆえに大きな抵抗を生じないような寸法を持つ。
【００１９】
支持・拭取りストリップ４が確実に固着されるとすぐに、ねじ２１が穴３７にねじ止めされる。このようにして、２本の支承ビーム２，２ａが二つのウェブ部品３１，３２の相互にオフセットした端面と接触し、その結果、ウェブ部品３１，３２が相互に変位するのである。このようにして、二つのウェブ部品３１，３２のリセス３３，３４のサイドエッジが相互に変位し、その結果、リセスに位置する支持・拭取りストリップ４がクランプされるのである。このクランプのためには、ウェブ部品３１，３２に位置するリセス３３，３４のサイドエッジが相互に若干オフセットしていれば充分である。この点に関して、この動作の様子を示すために、図４と４ａではこのオフセットが誇張されて描かれている。
【００２０】
図５から分かるように、支持・拭取りストリップ４ａには長形の間隙つまり溝４３が形成され、ウェブ部品３１ａ，３２ａの上側エッジには、溝４３に対応する相互に一致する突起３５，３６が形成されている。この場合、溝４３により、支持・拭取りストリップ４ａがあそびをもって突起３５，３６の上で変位でき、その結果、支持・拭取りストリップ４ａがウェブ３ａに結合される。このプロセスにおいて、やはりウェブ部品３１ａ，３２ａの端面は相互に若干オフセットしている。
【００２１】
これに代わるものとして、突起３５，３６に対応するとともに、支持・拭取りストリップ４ｂをウェブ３ａに配置することによりウェブに結合させるためのリセス４４が、支持・拭取りストリップ４ｂに形成されてもよい。支持・拭取りストリップ４ａ，４ｂのしっかりとした固定は、同様に、長手方向ビーム２，２ａを二つのウェブ部品３１ａ，３２ａへ接続した結果、ウェブ部品３１ａ，３２ａが相互に変位することにより実施され、これは、突起３５，３６が溝４３またはリセス４４内にクランプされることを意味する。
【産業上の利用可能性】
【００２２】
こうして説明した本発明は、支持・拭取りストリップが最初にキャリヤへしっかりと固定されるが、これとは無関係に、数本のねじを回すことによって支持・拭取りストリップの固定を実施および解除することのできる支持・拭取り装置を提供する。これは、破損した支持・拭取りストリップの交換をかなり単純にする。
【図面の簡単な説明】
【００２３】
【図１】本発明による支持・拭取り装置を示す展開軸測投影図である。
【図２】図１による支持・拭取り装置を示す軸測投影図である。
【図２Ａ】図２の装置を示す側面図である。
【図３】図１と比べて拡大して描かれた、図２による構成部品を示す展開軸測投影図である。
【図４】図３による構成部品を示す軸測投影図である。
【図４Ａ】図３による構成部品を示す別の軸測投影図である。
【図５】本発明による支持・拭取り装置の構成部品の代替実施例を示す軸測投影図である。
【符号の説明】
【００２４】
１  フレーム状キャリヤ
２，２ａ  支承ビーム
２１  ねじ
３，３ａ  ウェブ
３１，３２，３１ａ，３２ｂ  部品
３３，３４  空隙（リセス）
３５，３６  突起
３７  穴
４，４ａ，４ｂ  支持・拭取りストリップ
４１  磨耗ストリップ
４２  支承ストリップ
４３  溝
４４  リセス
５  マシンワイヤ
【図１】
2004353156.tif 000003
【図２】
2004353156.tif 000004
【図２Ａ】
2004353156.tif 000005
【図３】
2004353156.tif 000006
【図４】
2004353156.tif 000007
【図４Ａ】
2004353156.tif 000008
【図５】
2004353156.tif 000009